(57)【要約】【課題】構成を簡素化し得る。【解決手段】使用者が把持可能な筐体２０の一端に開口部２６が設けられた血糖計本体１０と、開口部２６に設けられたチップ装着部１６に着脱可能に装着され血液を収容するチップ１２と、弾性部材で構成され少なくとも１側面が開口して内壁面に複数個のチップ係止突起７６が形成され、チップ１２とチップ装着部１６との装着嵌合力よりもチップ係止突起７６とチップ１２との収納嵌合力の方が大きくなるようチップ１２を内部に収容し、チップ係止突起７６をチップ１２に係止させ、チップ１２を内部に収容しつつ血糖計本体１０から離隔する方向へ移動されることにより、チップ装着部１６に装着されているチップ１２をチップ装着部１６から離脱させるキャップ１４とを設けるようにした。【選択図】図１３
2014200267.tif 000002
【特許請求の範囲】
【請求項１】
体液中の成分を測定する体液成分測定装置に用い、上記体液を採取するための採取具を収容するケースであって、
弾性部材で構成され少なくとも１側面が開口して内壁面に複数個の突起が形成され、当該突起が内側に向かうよう撓むことにより当該突起を上記採取具に係止させ、上記採取具を内部に収容しつつ上記体液成分測定装置から離隔する方向へ移動されることにより、上記体液成分測定装置に装着されている上記採取具を当該体液成分測定装置から離脱させる
ことを特徴とする採取具ケース。
【請求項２】
上記採取具ケースは、上記採取具が上記体液成分測定装置に設けられた採取具装着部に装着される際、上記採取具と上記採取具装着部との嵌合力よりも上記突起と上記採取具との嵌合力の方が小さくなるよう上記採取具を内部に収容し、上記採取具装着部に近接されることにより上記採取具を上記採取具装着部に装着させる
ことを特徴とする請求項1に記載の採取具ケース。
【請求項３】
上記採取具は、上記採取具装着部の端部の外径よりも大きい外径であるベース部を有し、
上記採取具ケースは、上記ベース部に上記突起を係止させる
請求項２に記載の採取具ケース。
【請求項４】
上記採取具ケースは、複数の上記突起の内径が、上記ベース部の外径よりも短く構成されている
請求項３に記載の採取具ケース。
【請求項５】
上記突起は、上記採取具ケースの開口側である一端から他端に向かうに連れて当該採取具の中心軸内側に向かって傾斜する面が上記開口側に形成されている
請求項２に記載の採取具ケース。
【請求項６】
上記突起は、上記採取具ケースの内壁面からほぼ垂直か、上記採取具ケースの開口側である一端から他端に向かうに連れて当該採取具の中心軸内側に向かって傾斜する面が、上記他端側に形成されている
請求項５に記載の採取具ケース。
【請求項７】
上記突起は、三角形状である
請求項６に記載の採取具ケース。
【発明の詳細な説明】
【技術分野】
【０００１】
本発明は、採取具ケースに関し、例えば血液中の血糖値のような体液中の所定成分の量や性質等を測定する血糖計に着脱可能な採取具を収容する場合に適用して好適なものである。
【背景技術】
【０００２】
従来、体液中の所定成分を検出しその所定成分の量や性質等を測定するために、種々の体液成分測定装置が用いられており、例えば、血糖値を測定する装置として、血液中のブドウ糖濃度を測定する血糖計が使用されている。
【０００３】
血糖計としては、図１６及び図１７に示す血糖計２０１のように、キャップ２１４内部にチップ１２を予め収納し、当該キャップ２１４を血糖計本体２１０の先端に被せることにより、血糖計本体２１０にチップ１２を装着する物がある。
【０００４】
このような血糖計２０１としては、血糖計に血液が付着した際の交差感染を防ぐために、血糖値を測定した後の使用済みのチップ１２を、血糖計本体２１０に設けられたイジェクタ操作子１８を操作して当該血糖計本体２１０から取り外すことにより、当該チップ１２に手を触れることなく廃棄できるイジェクタ機構を有する物が提案されている（例えば、特許文献１参照）。
【先行技術文献】
【特許文献】
【０００５】
【特許文献１】特開２０１０−２３３８４５公報
【発明の概要】
【発明が解決しようとする課題】
【０００６】
このような血糖計においては、血糖計本体にイジェクタ機構を設けるため、機構部品の点数が増え、機構が複雑化してしまうおそれがあった。
【０００７】
本発明は以上の点を考慮してなされたもので、構成を簡素化し得る採取具ケースを提案しようとするものである。
【課題を解決するための手段】
【０００８】
かかる課題を解決するため本発明の採取具ケースにおいては、体液中の成分を測定する体液成分測定装置に用い、体液を採取するための採取具を収容するケースであって、弾性部材で構成され少なくとも１側面が開口して内壁面に複数個の突起が形成され、当該突起を採取具に係止させ採取具を内部に収容しつつ体液成分測定装置本体から離隔する方向へ移動されることにより、体液成分測定装置に装着されている採取具を当該体液成分測定装置から離脱させるようにした。
【０００９】
これにより、イジェクタ機構を体液成分測定装置に設けることなく、当該体液成分測定装置から採取具を離脱させることができる。
【発明の効果】
【００１０】
本発明によれば、イジェクタ機構を体液成分測定装置に設けることなく、当該体液成分測定装置から採取具を離脱させることができ、構成を簡素化し得る採取具ケースを実現できる。
【図面の簡単な説明】
【００１１】
【図１】血糖計の構成（１）を示す分解斜視図である。
【図２】血糖計の構成（２）を示す略線図である。
【図３】チップ装着部の構成（１）を示す血糖計本体の縦断面図である。
【図４】チップの構成（１）を示す斜視図である。
【図５】チップの構成（２）を示す側面図である。
【図６】チップの構成（３）を示し、図５のＡ−Ａ'矢視断面図である。
【図７】チップ装着部の構成（２）を示す血糖計本体の縦断面図である。
【図８】キャップの構成（１）を示す斜視図である。
【図９】キャップの構成（２）を示す背面図である。
【図１０】キャップの構成（３）を示す側面図である。
【図１１】キャップの構成（４）を示し、図１０のＡ−Ａ'矢視断面図である。
【図１２】チップ装着の流れを示す断面図である。
【図１３】チップ回収の流れを示す断面図である。
【図１４】他の実施の形態によるキャップの構成（１）を示す断面図である。
【図１５】他の実施の形態によるキャップの構成（２）を示す断面図である。
【図１６】従来の血糖計の構成を示す分解斜視図である。
【図１７】従来のチップ装着部の構成を示す断面図である。
【発明を実施するための形態】
【００１２】
以下に、図面について、本発明の一実施の形態を詳述する。
【００１３】
［１．実施の形態］
［１−１．血糖計の構成］
図１及び図２に示すように、血糖計１は、血糖計本体１０と、チップ１２と、キャップ１４とにより構成されている。血糖計本体１０は、医師や看護士或いは糖尿病患者等（以下では使用者とも呼ぶ）が手に持って操作することにより、血液中の血糖値を測定し、その血糖値の測定データを管理するようになされている。
【００１４】
チップ１２は、血糖計本体１０の前端部に設けられたチップ装着部１６に対し着脱自在に構成されている。キャップ１４は、チップ１２を内部に収容可能に構成されている。
【００１５】
［１−２．血糖計本体の構成］
血糖計本体１０は、中空の容器からなる筐体２０内に、当該血糖計本体１０全体を制御する制御部（図示せず）と、例えばボタン型電池でなる電源部（図示せず）と、血糖値等を測定する測定部（図示せず）とを有している。
【００１６】
血糖計本体１０の上面には、例えば液晶ディスプレイにより構成された表示部２２が設けられ、当該表示部２２は、入力事項や確認事項、測定結果等を表示する。
【００１７】
表示部２２の後側には、例えば押しボタンでなる操作部２４が２個設けられ、当該操作部２４は、血糖計本体１０の電源の投入又は遮断や、使用者からの各種操作を受け付ける。
【００１８】
筐体２０は、人が片手で持って操作部２４の押しボタンを容易に押圧操作できるように少し細長であって、人が持ち易い立体形状とされている。
【００１９】
図３に示すように、筐体２０の長手方向の一側（前端部）には、円筒形状の筐体円筒部２８が形成され、当該筐体円筒部２８の前端には、略円形でなる開口部２６が設けられている。この筐体円筒部２８の内壁面には、内側に向かって突設する突起である突条３９が設けられている。
【００２０】
筐体円筒部２８の内側には、測光ブロック３２と内リング３４とから構成された測定部３０が設けられている。測光ブロック３２は、筐体２０に支持固定されており、採血した血液から血糖値を光学的に測定する。この測光ブロック３２は、血液検体の呈色濃度と赤血球の赤色濃度とを測定し、呈色濃度から得られるグルコース値を赤色濃度から得られるヘマトクリット値を用いて補正しつつグルコース濃度を定量して、血糖値を測定する。
【００２１】
内リング３４は貫通穴３６が中央に設けられた円筒部３８と、この円筒部３８の一方（上方向）の端面側に連続して半径方向外側へ展開するように設けられたフランジ部４０とを有している。フランジ部４０は、筐体円筒部２８の内側に嵌合されており、このフランジ部４０を介して内リング３４が筐体円筒部２８に固定されている。
【００２２】
この筐体円筒部２８と内リング３４とにより、チップ１２を着脱可能に支持するチップ装着部１６が構成されている。
【００２３】
この筐体円筒部２８と内リング３４との間にはリング状の空間であるチップ保持部４２が形成されており、当該チップ保持部４２にチップ１２が嵌合することにより、チップ装着部１６にチップ１２が装着される。このような、チップ保持部４２に対するチップ１２の嵌合力を、以下では装着嵌合力とも呼ぶ。
【００２４】
［１−３．チップの構成］
図４乃至図６に示すように、チップ１２は略円筒形状であり、円板状に形成されたベース部５０と、このベース部５０の一方の面（前面）に形成されたノズル部５２と、ベース部５０の他方の面（後面）に形成された円筒部５４とから構成されている。
【００２５】
ベース部５０の外径は、筐体円筒部２８（図３）の外径よりも僅かに大きく形成されている。また、ノズル部５２は、ベース部５０の中央に立設されており、その中心部には軸方向へ貫通する採取孔５６が設けられている。ノズル部５２の先端部は先細に形成されており、その先端面には検体を吸引し易くするための凹溝５８が設けられている。
【００２６】
円筒部５４は、チップ装着部１６（図３）の筐体円筒部２８の内径よりも僅かに小さい外径に形成されており、図７に示すように当該筐体円筒部２８の内側に嵌まり合うと共に、円筒部３８の外径とほぼ同様の内径に形成されており、当該円筒部３８を覆うようになされている。
【００２７】
また円筒部５４の先端部には、弾性片からなる複数（例えば４個）の係合爪６０が周方向に連続する円弧状の凸部として形成されており、その外周面には、摩擦抵抗を高める山形凸部６２が設けられている。
【００２８】
チップ１２は、係合爪６０を血糖計本体１０の筐体円筒部２８の内周面に接触させて押し込まれ当該係合爪６０が突条３９を乗り越えることにより、チップ保持部４２によるチップ１２の保持力を高めて外れ難くなされている。
【００２９】
円筒部５４の内側には、採取孔５６に連通された試験紙収納部６４が設けられている。この試験紙収納部６４には、血液を採取して所定量の血液を保持する試験紙６６が収納されている。測定部３０（図７）は、試験紙６６に保持された血液に、測光ブロック３２から照射される所定の光を照射することにより、血液中の成分を測定する。
【００３０】
また円筒部５４の内面は段差を有しており、この段差に内リング３４の端部が当接することにより、チップ１２が測光ブロック３２へ正確に位置決めされる。
【００３１】
［１−４．キャップの構成］
図８乃至図１１に示すキャップ１４は、チップ装着部１６（図７）に対してチップ１２を装着したり、取り外したりする場合に使用される。
【００３２】
キャップ１４は可撓性を有し、一側面に開口部７１を有する有底円筒形であり、チップ１２を内部に収納する空間であるチップ収納部７０が設けられている。
【００３３】
キャップ１４は、開口部７１近傍であり内部にチップ１２の大部分が収納される収納部７２と、先端側（前方）に向かうに連れてやや先細に形成された摘み部７４とを有している。
【００３４】
収納部７２の前方寄りの内壁面には、図９に示すようにキャップ１４の中心軸ＣＬを中心とする互いの角度が９０度となるように配置された４個のチップ係止突起７６が、当該収納部７２と一体成型されて内側に向かって突設している。このためチップ係止突起７６は、対向する１組のチップ係止突起７６が２組形成されている。
【００３５】
図１１に示すようにチップ係止突起７６は、収納部７２の円周方向に沿って見た際、後方から前方に向かうに連れて内側（キャップ１４の中心軸側）に傾斜する外側摺動面７８が形成され、当該外側摺動面７８の前端からはチップ１２のベース部５０の外周面とほぼ平行な平面である当接面７９が形成されている。この当接面７９の内径（すなわち対向する当接面７９の間の距離）は、チップ１２のベース部５０の外径とほぼ同様に形成されている。
【００３６】
当接面７９の前端からは、後方から前方に向かうに連れてキャップ１４の中心軸側に傾斜する内側摺動面８１が形成され、当該内側摺動面８１の前端である最内周側には先端部８０が形成されている。またチップ係止突起７６の前面には、収納部７２の内壁面からほぼ垂直に立設する係止面８２が形成されている。
【００３７】
チップ係止突起７６の内径（すなわち先端部８０の内径であり、対向するチップ係止突起７６の先端部８０の間の距離）は、チップ１２のベース部５０の外径よりもやや短く形成されている。
【００３８】
キャップ１４は、チップ１２をチップ係止突起７６の当接面７９により挟み込んで嵌合力（以下では収納嵌合力とも呼ぶ）を発生させ、チップ収納部７０に収納するよう保持する。この収納嵌合力は、上述した装着嵌合力よりも弱いものとなっている。このようにチップ収納部７０にチップ１２を保持している状態をチップ収納状態とも呼ぶ。
【００３９】
［１−５．動作及び効果］
以上の構成において、図１２（Ａ）に示すように、チップ１２が血糖計本体１０に装着される前の段階においては、キャップ１４がチップ係止突起７６の当接面７９によりチップ１２を挟み込んでチップ収納部７０に保持している。
【００４０】
続いて使用者は、図１２（Ｂ）に示すように、チップ１２が収納されたキャップ１４を血糖計本体１０のチップ装着部１６に被せ、チップ保持部４２の所定深さまで押し込む。
【００４１】
これにより、チップ１２の円筒部５４がリング状に開口されたチップ保持部４２に差し込まれ、円筒部５４の先端に設けた４つの係合爪６０が、筐体円筒部２８の内壁面と内リング３４の外壁面との間に入り込む。
【００４２】
チップ１２は、筐体円筒部２８と円筒部５４との間に発生する保持力により、チップ装着部１６に保持されて固定される。この状態を装着状態とも呼ぶ。装着状態においては、ベース部５０の後側面が筐体円筒部２８の前端面に接触している。
【００４３】
続いて図１２（Ｃ）に示すように、使用者がキャップ１４を血糖計本体１０から離隔する方向へ引っ張る。上述したようにチップ１２のキャップ１４への取り付け力である収納嵌合力は、チップ１２のチップ装着部１６への取り付け力である装着嵌合力よりも弱いため、キャップ１４が引っ張られると、チップ１２がチップ装着部１６に保持されたまま、キャップ１４がチップ１２から分離される。
【００４４】
このように血糖計１は、装着嵌合力と収納嵌合力との差によって、チップ１２をチップ装着部１６に装着させることができる。これにより、チップ１２の取付作業が完了し、この状態において、検体である血液中の血糖値等の測定が可能となる。
【００４５】
血液の採取は、まず、指先を専用の穿刺器具で穿刺し、その穿刺部から皮膚上に少量（例えば、０．３〜１．５μＬ程度）の血液を流出させる。この指先に盛り上がった少量の血液に、血糖計本体１０の先端に装着されているチップ１２のノズル部５２（図４）の先端を当接させる。
【００４６】
これにより、指先の血液は、凹溝５８を経て採取孔５６内に入り込み、毛細管現象により吸引されて内側に流れ、円筒部５４内に収容されている試験紙６６の中央部に到達する。この試験紙６６に到達した血液は、その表面から内部に染み込み、半径方向外側へ向かって放射状に広がって行く。
【００４７】
この血液の展開と同時に、血液中のブドウ糖と試験紙６６に担持されている試薬とが反応を開始し、ブドウ糖の量に応じて呈色する。測定部３０は、この呈色した試験紙６６の色を測定（測色）し呈色の強度（濃淡）を測定することにより、血糖値を求める。
【００４８】
測定終了後、チップ１２をチップ装着部１６から排出する場合には、図１３（Ａ）に示すように、チップ収納部７０が空になっているキャップ１４の摘み部７４を使用者が力を入れて摘む。このときキャップ１４は、その弾性により開口部７１がやや開くように変形し、チップ係止突起７６の先端部８０の内径は、チップ収納状態よりもやや大きくなり、チップ１２のベース部５０の外径よりも僅かに大きくなる。
【００４９】
使用者は血糖計本体１０の筐体２０を一方の手で把持し、変形したキャップ１４をもう一方の手で血糖計本体１０に近接させ、チップ係止突起７６の先端部８０がチップ１２のベース部５０を乗り越える位置まで押し込む。ここで、チップ係止突起７６には外側摺動面７８及び内側摺動面８１が形成されているため、ベース部５０に外側摺動面７８及び内側摺動面８１を摺動させることにより、チップ係止突起７６がベース部５０を乗り越えやすくなっている。
【００５０】
続いて使用者は摘み部７４を摘む力を緩め、収納部７２を軽く摘んで図１３（Ｂ）に示すようにチップ１２のベース部５０の外縁にチップ係止突起７６の係止面８２を引っ掛ける。
【００５１】
この状態で使用者は、図１３（Ｃ）に示すように、装着嵌合力よりも大きい力で血糖計本体１０からキャップ１４を引っ張ることにより、チップ係止突起７６でチップ１２を引っ掛けて保持しキャップ１４のチップ収納部７０に収納しつつ、チップ装着部１６から離脱させる。そして使用者は、キャップ１４及び当該キャップ１４に収納されたチップ１２を所定の廃棄容器に廃棄する。
【００５２】
これにより使用者は、チップ１２に手を触れることなく、安全性を保持して簡単且つ迅速にチップ１２の廃棄処理を行うことができる。
【００５３】
また血糖計１は、血糖計本体１０からチップ１２を離脱させるためのイジェクタ機構を当該血糖計本体１０から省略できるため、機構部品の点数を減らし簡易な構成とすることができる。
【００５４】
さらに血糖計１は、血液の交差感染を防ぐために、血糖計本体１０に付着した血液等の汚れを例えばアルコール消毒したいという要望がある。
【００５５】
従来の血糖計２０１（図１４）においては、イジェクタ操作子１８の操作を血糖計本体２１０の筐体内部に伝達するための伝達孔が筐体に穿設されているため、当該孔を介してアルコール等の液体が筐体内部に侵入してしまうおそれがあった。
【００５６】
これに対し血糖計１においては、イジェクタ機構そのものを省略することにより、そのような伝達孔を穿設する必要がないため、血糖計本体１０を洗浄した際に筐体２０内部への液体の侵入を防止でき、防水機能を向上できる。
【００５７】
さらに血糖計１は、従来のイジェクタ操作子を省略できるため、使用者が操作する際の操作部を減らすことができ、特に高齢者等に対し、操作を簡易なものとし、ユーザビリティを向上できる。
【００５８】
以上の構成によれば、体液中の成分である血糖値を測定する血糖計１は、使用者が把持可能な筐体２０の一端に開口部２６が設けられた血糖計本体１０と、開口部２６に設けられたチップ装着部１６に着脱可能に装着され血液を収容するチップ１２と、弾性部材で構成され少なくとも１側面が開口して内壁面に複数個のチップ係止突起７６が形成され、チップ１２とチップ装着部１６との装着嵌合力よりもチップ係止突起７６とチップ１２との収納嵌合力の方が大きくなるようチップ１２を内部に収容し、血糖計本体１０に近接されることによりチップ１２をチップ装着部１６に装着させる一方、チップ係止突起７６をチップ１２に係止させチップ１２を内部に収容しつつ血糖計本体１０から離隔する方向へ移動されることにより、チップ装着部１６に装着されているチップ１２をチップ装着部１６から離脱させる採取具ケースとしてのキャップ１４とを設けるようにした。これにより血糖計１は、イジェクタ機構を血糖計本体１０に設けることなく、当該血糖計本体１０からチップ１２を離脱させることができる。
【００５９】
［２．他の実施の形態］
なお上述した実施の形態においては、キャップ１４の内壁面に４個のチップ係止突起７６を設ける場合について述べたが、本発明はこれに限らず、例えば３個や５個以上等、任意の個数のチップ係止突起７６を設けて良い。この場合、例えば６個や８個等の偶数の個数でなるチップ係止突起７６が、互いに対向するように突出していると、対向するチップ係止突起７６によりチップ１２を確実に掴むことができる。
【００６０】
また上述した実施の形態においては、図１４及び図１５に示すキャップ１１４のように、チップ係止突起１７６を断面三角形状としても良い。
【００６１】
図１４に示すようにチップ係止突起１７６は、収納部７２の円周方向に沿って見た際、三角形状に構成されており、後方から前方に向かうに連れてキャップ１４の中心軸側に傾斜する摺動面１７８が形成され、最内周側には先端部１８０が形成されている。またチップ係止突起１７６の前面には、収納部７２の内壁面からほぼ垂直に立設する係止面１８２が形成されている。
【００６２】
チップ係止突起１７６の内径（すなわち先端部１８０の内径であり、対向するチップ係止突起１７６の先端部１８０の間の距離）は、チップ１２のベース部５０の外径よりもやや短く形成されている。
【００６３】
キャップ１１４は、図１５に示すように先端部１８０が弾性変形して潰れることによりチップ１２をチップ係止突起１７６で挟み込んで収納嵌合力を発生させ、チップ収納状態とする。
【００６４】
一方キャップ１１４は、図１４に示すようにチップ１２のベース部５０の外縁にチップ係止突起１７６の係止面１８２を引っ掛け血糖計本体１０から離隔する方向へ引っ張られることにより、当該チップ１２をチップ収納部７０に収納しつつ、チップ装着部１６から離脱させる。
【００６５】
また上述した実施の形態においては、チップ係止突起を断面半円形状や断面四角形状等、種々の形状にしても良い。
【００６６】
また上述した実施の形態においては、チップ係止突起７６の係止面８２を、収納部７２の内壁面からほぼ垂直に立設する場合について述べたが、本発明はこれに限らず、チップ１２のベース部５０を引っ掛けることができる種々の形状であっても良い。
【００６７】
その場合、収納部７２の内壁面から垂直か、垂直からキャップ１４の先端（前端）に向かって傾斜している形状である場合、より確実にチップ１２のベース部５０を引っ掛けることができる。
【００６８】
また係止面８２は、平面形状に限らず、例えば収納部７２の内壁面から中心に向かいつつキャップ１４の先端方向に湾曲する湾曲形状であっても良い。
【００６９】
すなわち、チップ係止突起７６は、チップ収納状態において装着嵌合力よりも弱い収納嵌合力でチップ１２を収納部７２に保持すると共に、チップ１２の所定部分を係止する又は挟み込んで装着嵌合力よりも強い力で血糖計本体１０から引っ張れることができる形状であれば良い。
【００７０】
さらに上述した実施の形態においては、キャップ１４の摘み部７４を使用者が摘むことによりキャップ１４の開口を広げ、チップ係止突起７６がチップ１２のベース部５０を乗り越えられるようにする場合について述べた。本発明はこれに限らず、使用者が摘み部７４を力を入れて摘むことなくキャップ１４をチップ装着部１６に押し込んだ際、弾性変形することによりチップ１２のベース部５０を乗り越える程度の弾性力でなるチップ係止突起７６としても良い。
【００７１】
さらに上述した実施の形態においては、ベース部５０の外径を、筐体円筒部２８の外径よりも僅かに大きく形成する場合について述べた。本発明はこれに限らず、ベース部５０の外径を筐体円筒部２８の外径とほぼ同様に構成しても良い。但し、ベース部５０の外径が筐体円筒部２８の外径よりも大きい方が、チップ係止突起７６により当該ベース部５０を容易に引っ掛けることができる。
【００７２】
さらに上述した実施の形態においては、装着状態において、チップ１２のベース部５０の後側面が血糖計本体１０の筐体円筒部２８の前端面に接触する場合について述べた。本発明はこれに限らず、ベース部５０の後側面を筐体円筒部２８の前端面から離隔して装着状態とし、ベース部５０の後側面と筐体円筒部２８の前端面との間の空間にチップ１２のチップ係止突起７６を差し込むことにより、チップ係止突起７６をベース部５０の外縁に引っ掛けても良い。
【００７３】
さらに上述した実施の形態においては、チップ１２の円筒部５４が血糖計本体１０の筐体円筒部２８の内側に嵌り込むことにより装着状態となる場合について述べたが、本発明はこれに限らず、チップ１２の円筒部５４が血糖計本体１０の筐体円筒部２８の外側に被さることにより装着状態となっても良い。その場合、キャップ１４のチップ係止突起７６をチップ１２の円筒部５４の端面の縁に引っ掛けることにより血糖計本体１０からチップ１２を離脱させても良い。
【００７４】
さらに上述した実施の形態においては、チップ係止突起７６を収納部７２と一体成型する場合について述べたが、本発明はこれに限らず、収納部７２と別に形成したチップ係止突起７６を収納部７２の内壁面に固定しても良い。
【００７５】
さらに上述した実施の形態においては、キャップ１４の開口側近傍の収納部７２の内壁面にチップ係止突起７６を設ける場合について述べたが、本発明はこれに限らず、キャップ１４の開口側の端部とは逆の端部近傍の摘み部７４の内壁面に設けても良い。
【００７６】
また上述した実施の形態においては、体液として血液について述べた。本発明はこれに限らず、例えば、リンパ液、髄液、唾液等であっても良い。
【００７７】
また上述した実施の形態においては、体液（血液）中の測定目的とする成分として、ブドウ糖（血糖値）について述べたが、本発明はこれに限らず、例えば、コレステロール、尿酸、クレアチニン、乳酸、ヘモグロビン（潜血）、各種アルコール類、各種糖類、各種タンパク質、各種ビタミン類、ナトリウム等の各種無機イオン、ＰＣＢやダイオキシン等の環境ホルモンであっても良い。
【００７８】
さらに上述した実施の形態においては、所定成分の量を測定するものとして説明したが、所定成分の性質を測定するものであってもよく、また、所定成分の量及び性質の双方を測定するものであってもよい。
【産業上の利用可能性】
【００７９】
本発明は、例えば医療分野に適用することができる。
【符号の説明】
【００８０】
１、２０１……血糖計、１０、２１０……血糖計本体、１２……チップ、１４、１１４、２１４……キャップ、１６……チップ装着部、１８……イジェクタ操作子、２０……筐体、２２……表示部、２４……操作部、２６……開口部、２８……筐体円筒部、３０……測定部、３２……測光ブロック、３４……内リング、３６……貫通穴、３８……円筒部、３９……突条、４０……フランジ部、４２……チップ保持部、５０……ベース部、５２……ノズル部、５４……円筒部、５６……採取孔、５８……凹溝、６０……係合爪、６２……山形凸部、６４……試験紙収納部、６６……試験紙、７０……チップ収納部、７１……開口部、７２……収納部、７４……摘み部、７６、１７６……チップ係止突起、７８……外側摺動面、７９……当接面、８０、１８０……先端部、８１……内側摺動面、８２、１８２……係止面、１７８……摺動面。
【図１】
2014200267.tif 000003
【図２】
2014200267.tif 000004
【図３】
2014200267.tif 000005
【図４】
2014200267.tif 000006
【図５】
2014200267.tif 000007
【図６】
2014200267.tif 000008
【図７】
2014200267.tif 000009
【図８】
2014200267.tif 000010
【図９】
2014200267.tif 000011
【図１０】
2014200267.tif 000012
【図１１】
2014200267.tif 000013
【図１２】
2014200267.tif 000014
【図１３】
2014200267.tif 000015
【図１４】
2014200267.tif 000016
【図１５】
2014200267.tif 000017
【図１６】
2014200267.tif 000018
【図１７】
2014200267.tif 000019